(57)【要約】【課題】本発明は簡単な構成で、かつンテナンス性の良いドレンポンプ軸受部蒸気侵入防止装置を提供すること。【解決手段】ドレン水を復水加熱流路に向けて送るドレンポンプと、このドレンポンプのポンプケーシングと、このポンプケーシングに内置されるポンプランナーと、このポンプランナーを支持する回転軸と、この回転軸を回転自在に支持する軸受部と、ポンプケーシング内のドレン水が軸受部に流れるのを阻止する軸封部とを有し、軸封部には封止水供給口と封止ドレン水排水口を設け、封止水供給口を復水ポンプの下流側になるようにして復水加熱流路に連通し、ドレンポンプには、ポンプケーシング内に滞留するドレン水を排水する排水口を設けたことを特徴とする。【選択図】  図１
2004325024.tif 000002
【特許請求の範囲】
【請求項１】
発電プラントの復水器と、この復水器から送られる水を蒸気にする蒸気発生器と、この蒸気発生器と前記復水器を連通する復水加熱流路と、この復水加熱流路に設けられ、かつ復水器から蒸気発生器に向けて水を送る復水ポンプと、この復水ポンプの下流側になるようにして復水加熱流路に設けられた給水加熱器と、この給水加熱器に生じるドレン水を復水加熱流路に供給するドレン水給水ラインと、このドレン水給水ラインに設けられ、前記ドレン水を前記復水加熱流路に向けて送るドレンポンプと、
このドレンポンプのポンプケーシングと、このポンプケーシングに内置されるポンプランナーと、このポンプランナーを支持する回転軸と、この回転軸を回転自在に支持する軸受部と、ポンプケーシング内のドレン水が軸受部に流れるのを阻止する軸封部とを有し、
前記軸封部には封止水供給口と封止ドレン水排水口を設け、封止水供給口を復水ポンプの下流側になるようにして復水加熱流路に連通し、
前記ドレンポンプには、ポンプケーシング内に滞留するドレン水を排水する排水口を設けたことを特徴とするドレンポンプ軸受部の蒸気侵入防止装置。
【請求項２】
請求項１に記載されたドレンポンプ軸受部の蒸気侵入防止装置において、
前記排水口から排出される前記ドレン水を前記復水器、または前記給水加熱器に流出させることを特徴とするドレンポンプ軸受部の蒸気侵入防止装置。
【請求項３】
発電プラントの復水器と、この復水器から送られる水を蒸気にする蒸気発生器と、この蒸気発生器と前記復水器を連通する復水加熱流路と、この復水加熱流路に設けられ、かつ復水器から蒸気発生器に向けて水を送る復水ポンプと、この復水ポンプの下流側になるようにして復水加熱流路に設けられた給水加熱器と、この給水加熱器に生じるドレン水を復水加熱流路に供給するドレン水給水ラインと、このドレン水給水ラインに設けられ、前記ドレン水を前記復水加熱流路に向けて送るドレンポンプと、
このドレンポンプのポンプケーシングと、このポンプケーシングに内置されるポンプランナーと、このポンプランナーを支持する回転軸と、この回転軸を回転自在に支持する軸受部と、ポンプケーシング内のドレン水が軸受部に流れるのを阻止する軸封部とを有し、
前記軸封部には封止水供給口と封止ドレン水排水口を設け、封止水供給口が復水ポンプの下流側に連通するように封止水供給ラインを介して復水加熱流路に接続し、
前記封止水供給ラインに非常用ポンプを有する非常用給水管を連通させたことを特徴とするドレンポンプ軸受部の蒸気侵入防止装置。
【請求項４】
発電プラントの復水器と、この復水器から送られる水を蒸気にする蒸気発生器と、この蒸気発生器と前記復水器を連通する復水加熱流路と、この復水加熱流路に設けられ、かつ復水器から蒸気発生器に向けて水を送る復水ポンプと、この復水ポンプの下流側になるようにして復水加熱流路に設けられた給水加熱器と、この給水加熱器に生じるドレン水を復水加熱流路に供給するドレン水給水ラインと、このドレン水給水ラインに設けられ、前記ドレン水を前記復水加熱流路に向けて送るドレンポンプと、
このドレンポンプのポンプケーシングと、このポンプケーシングに内置されるポンプランナーと、このポンプランナーを支持する回転軸と、この回転軸を回転自在に支持する軸受部と、ポンプケーシング内のドレン水が軸受部に流れるのを阻止する軸封部とを有し、
前記軸封部には封止水供給口と封止ドレン水排水口を設け、封止水供給口が復水ポンプの下流側に連通するように封止水供給ラインを介して復水加熱流路に接続し、
非常用タンクを有する非常用タンク給水管を前記封止水供給ラインに連通するように接続したことを特徴とするドレンポンプ軸受部の蒸気侵入防止装置。
【請求項５】
発電プラントの復水器と、この復水器から送られる水を蒸気にする蒸気発生器と、この蒸気発生器と前記復水器を連通する復水加熱流路と、この復水加熱流路に設けられ、かつ復水器から蒸気発生器に向けて水を送る復水ポンプと、この復水ポンプの下流側になるようにして復水加熱流路に設けられた給水加熱器と、この給水加熱器に生じるドレン水を復水加熱流路に供給するドレン水給水ラインと、このドレン水給水ラインに設けられ、前記ドレン水を前記復水加熱流路に向けて送るドレンポンプと、
このドレンポンプのポンプケーシングと、このポンプケーシングに内置されるポンプランナーと、このポンプランナーを支持する回転軸と、この回転軸を回転自在に支持する軸受部と、ポンプケーシング内のドレン水が軸受部に流れるのを阻止する軸封部とを有し、
前記軸封部にはドレン水逃口と封止水供給口と封止ドレン水排水口を設け、封止水供給口を復水ポンプの下流側になるようにして復水加熱流路に連通し、
前記ドレン水逃口を低圧給水加熱器に給水加熱器排水管を介して連通するように接続したことを特徴とするドレンポンプ軸受部の蒸気侵入防止装置。
【発明の詳細な説明】
【０００１】
【発明の属する技術分野】
本発明は、発電プラントに使用されるドレンポンプの軸封部から軸受部への蒸気侵入防止装置に係わり、特に復水ポンプの停止事象が発生した場合においてドレンポンプ内の高温滞留水が蒸気となってポンプ軸封部から軸受部に混入／侵入することを防止するのに好適なポンプ軸受部の蒸気侵入防止装置に関する。
【０００２】
【従来の技術】
従来の発電プラントでは、ドレンポンプ軸封水を供給する復水ポンプの停止事象が発生し、ドレンポンプ内の高温滞留水が蒸気となってポンプ軸封部から軸受部へ混入した場合はポンプ軸受部、及び軸受潤滑油系統の分解、点検、清掃を実施する必要があった。
【０００３】
また、前記の如く軸封水を供給するポンプの停止事象等、動力源の異常が発生した場合でも軸封水の供給を維持する軸封水供給装置としては、同一の水源に対し通常運転用の主給水機構と並列的に動力源を異にする非常時運転用の補助給水機構、及び制御装置から構成されるものが、例えば、特許文献１（特開平７−４３８６号公報）等で知られている。従来例を図７に示す。図７に本発明の実施例と共通する符合を参考までに付した。
【０００４】
しかし、この軸封水供給装置では非常時運転用の補助給水機構として補助給水ポンプ、及びその制御装置といった設備を新たに追加する必要があった。
【０００５】
【特許文献１】
特開平７−４３８６号公報
【０００６】
【発明が解決しようとする課題】
本発明は、上記の問題に鑑み、簡単な構成で、かつンテナンス性の良いドレンポンプ軸受部の蒸気侵入防止装置を提供することを目的とする。
【０００７】
【課題を解決するための手段】
本発明では、ドレンポンプ軸封水を供給する復水ポンプの停止事象が発生した場合のドレンポンプ軸封部から軸受部への蒸気混入防止策として、ドレンポンプ内の高温滞留水を復水器等に排出する排水管を有する事により、復水ポンプ停止によってドレンポンプへの封水供給が停止した後でもドレンポンプ内の高温滞留水が蒸気となってポンプ軸封部から軸受部へ混入する事を防止可能である。
同様に、ドレンポンプ内の高温滞留水を給水加熱器に排出する排水管を有する事により、復水ポンプ停止によってドレンポンプへの封水供給が停止した後でもドレンポンプ内の高温滞留水が蒸気となってポンプ軸封部から軸受部へ混入する事を防止可能である。
【０００８】
また、ドレンポンプ軸封水を供給する復水ポンプの停止事象が発生した場合のドレンポンプ軸封部から軸受部への蒸気混入防止策として、非常用電源で駆動されるポンプの吐出水をドレンポンプ軸封部へ供給する事によりドレンポンプ内の高温滞留水が蒸気となってポンプ軸封部から軸受部へ混入する事を防止可能である。
【０００９】
また、ドレンポンプ軸封水を供給する復水ポンプの停止事象が発生した場合のドレンポンプ軸封部から軸受部への蒸気混入防止策として、タンク静水頭によってタンク出口水をドレンポンプ軸封部へ供給する事によりドレンポンプ内の高温滞留水が蒸気となってポンプ軸封部から軸受部へ混入する事を防止可能である。
【００１０】
【発明の実施の形態】
以下図示した実施例に基づいて本発明を詳細に説明する。
【００１１】
まず、図１に示す第１の実施例について述べる。
【００１２】
発電プラントの復水器１は、蒸気タービン内から排出される蒸気を水にする。蒸気から液化した水は、復水器１から蒸気発生器６（ボイラー等）に亘る復水加熱流路を経由して蒸気発生器に至る。
【００１３】
この復水加熱流路には、復水器１で生じた水を蒸気発生器６に送水する復水ポンプ２、その水を加熱する低圧給水加熱器３（給水加熱器）、給水ポンプ４（復水加熱流路に流れる水の圧力を更に高める）、高圧給水加熱器５（給水加熱器）が設けられる。
【００１４】
低圧給水加熱器３、高圧給水加熱器５には、蒸気タービンから排出される蒸気の一部が供給される。この蒸気で、低圧給水加熱器３や高圧給水加熱器５に流れる水を加熱する。復水器１で液化した水の温度は、３０℃である。この水温の水が低圧給水加熱器３で１００程度に加熱され、高圧給水加熱器５では２１０℃程度まで加熱される。
【００１５】
低圧給水加熱器３、高圧給水加熱器５に供給される蒸気は、水に変わる。この水をドレン水と言う。低圧給水加熱器３側のドレン水は、温度が低い。高圧給水加熱器５側の水は温度が高い。温度の低いドレン水は、復水器１側に供給され、復水加熱流路を流れる水に加わる。
【００１６】
高圧給水加熱器５から生じる温度の高い水は、ドレンタンク７に集水され、ドレンポンプ８で、低圧給水加熱器３と給水ポンプ４との間の復水加熱流路に供給される。このドレンタンク７、ドレンポンプ８を介して高圧給水加熱器５から復水加熱流路に至る経路をドレン水給水ラインと言う。
【００１７】
ここに用いられるドレンポンプ８は、図５に示す構造を有する。
【００１８】
このドレンポンプ８について説明する。
【００１９】
ドレンポンプ８は、ポンプケーシング３０、ポンプケーシング３０に内置されるポンプレンナー３１、ポンプレンナー３１を支持する回転軸３２、この回転軸３２を回転自在に支持する軸受部３３、ポンプケーシング３０内の水が軸受部３３に流れるのを抑える軸封部３４を有する。
【００２０】
またポンプケーシング３０は、吸込口３５、吐出口３６、排水口３７を有する。
【００２１】
さらに軸封部３４は、二つの固定ブッシュ４０（シール部材）を有し、固定ブッシュ４０の間に封止水供給口４１を設け、軸受部３３に隣接するところには封止ドレン水排水口４２を設けている。
【００２２】
なお、図５に示すドレンポンプは回転軸の片側を軸受部で支持する構成であるが、図１に示すように両側支持の構成にすることも可能である。
【００２３】
このドレンポンプ８は、図１に示すように吸込口３５側がドレンタンク７に連通するように接続され、吐出口３６側が復水加熱流路に連通するように接続される。
【００２４】
また封止水供給口４１は、復水ポンプ２と低圧給水加熱器３との間の復水加熱流路に連通するように封止水供給ライン４３（配管）を介して接続される。封止水供給ライン４３には、ドレンポンプ封水供給弁９が備わる。
【００２５】
さらに封止ドレン水排水口４２は封止ドレン水回収タンク４４に連通するように封止ドレン水回収ライン４５（配管）を介して接続される。排水口３７は復水器排水管１０を介して復水器１に接続される。
【００２６】
上記は、第１の実施例を主として構成（構造）の面から述べたものである。以下に動作の面から述べる。
【００２７】
蒸気タービンの運転により、復水器１に発生した水は蒸気発生器６で高温／高圧の水蒸気となって蒸気タービンの駆動に供給される。復水加熱流路の低圧給水加熱器３で発生した温度の低い水は、復水器１側に送られ、復水器１から流出する水（復水加熱流路を流れる水）に加えられる。
【００２８】
高圧給水加熱器５に発生する水は、ドレンタンク７に集水され、ドレンポンプ８によって復水加熱流路に供給される。かかるドレンポンプ８の運転おいて、ポンプケーシング３０内の高温のドレン水は、軸封部３４で封じられるので軸受部３３に流入するのは抑えられる。
【００２９】
また軸封部３４には、封止水供給口４１から封止水が押し込まれている。ポンプケーシング３０から軸受部３３に向けて軸封部３４内を流れる高温のドレン水は封止水で抑えられるので、軸受部３３に向けて流れる高温のドレン水は、更に抑制されるのである。
【００３０】
さらに、封止水で抑えきれなかった高温のドレン水は、低い温度の封止水（３０℃）と混ざって８０℃程度の温度に低下して封止ドレン水となり、封止ドレン水排水口４２から排水される。排出された水封止ドレン水は封止ドレン水回収ライン４５（配管）を通じて封止ドレン水回収タンク４４に溜められる。
【００３１】
封止ドレン水は、軸封部３４内で８０℃程度に下げられるので、蒸気が発生することはなく軸受部３３に蒸気が浸入することが生じない。蒸気の浸入がないので軸受部３３の性能／寿命は損なわれない。
【００３２】
通常の運転では、吸込口３５から吸い込まれるドレン水は、ポンプレンナー３１で加圧されて吐出口３６から吐出され、ドレン水給水ラインを流れて復水加熱流路に供給される。
【００３３】
故障等で復水ポンプ２が止まると、それに連携してドレンポンプ８の運転も止められる。ドレンポンプ８には排水口３７があるので、ドレンポンプ８のポンプケーシング３０内のドレン水は滞留することなく排水口３７から排出され、復水器排水管１０を通じて復水器１に流出する。このため、復水ポンプ２の停止で、軸封部３４内に供給される封止水の供給が止でも、ポンプケーシング３０内に高温（２１０℃）のドレン水が滞留しないので、ドレン水の蒸気が発生することがなく、軸封部３４や軸受部３３に蒸気が浸入することはない。これにより、軸受部３３の性能／寿命が損なわれないのである。
【００３４】
またドレン水の排水は、ポンプケーシング３０に排水口３７を設けることだけで出来るので、従来のような専用の補助給水ポンプを設ける必要がなく、構成が簡単で安価になるとともに保守点検がし易いものである。
【００３５】
なお、復水器排水管１０を低圧給水加熱器または高圧給水加熱器に接続することも可能である。
【００３６】
次に図２に示す第２の実施例について述べる。
【００３７】
この実施例に関する説明は、第１の実施例との違いを主に述べる。
【００３８】
この実施例に用いられるドレンポンプ８’は、図６に示す構成を有する。前述した図５のドレンポンプ８との違いは、軸封部３４’が三つの固定ブッシュ４０（シール部材）を有し、中央の固定ブッシュ４０とポンプケーシング３０側寄りの固定ブッシュ４０との間にドレン水逃口６０を設けたところにある。
【００３９】
第２の実施例は、前記ドレンポンプ８’を用い、ドレン水逃口６０を低圧給水加熱器３に給水加熱器排水管１１を介して連通するように接続した点が第１の実施例との違いである。第２の実施例に用いるドレンポンプ８’には排水口３７がないので、第１の実施例が有した復水器排水管１０は第２の実施例にないのである。
【００４０】
このようにドレンポンプ８’の軸封部３４’にはドレン水逃口６０が設けられているので、復水ポンプ２が止まり、かつドレンポンプ８’が止まっても、ポンプケーシング３０内のドレン水はポンプケーシング３０に滞留することなく、ドレン水逃口６０から排出され、給水加熱器排水管１１を流れて低圧給水加熱器３に給水加熱器排水管１１に流出する。このため、ドレン水が軸封部３４’の封止ドレン水排水口４２側に殆ど流れ込まなく、ドレン水の蒸気が軸受部３３に浸入することは生じないのである。
【００４１】
第１の実施例と同様、専用の補助給水ポンプを設ける必要がなく、構成が簡単で、かつ保守点検が容易である。
【００４２】
次に図３に示す第３の実施例について述べる。
【００４３】
この実施例に関する説明は、第１の実施例との違いを主に述べる。
【００４４】
この実施例に用いられるドレンポンプ８は、第１の実施例のドレンポンプとほぼ同じであるが、排水口３７を備えていない。
【００４５】
この実施例は、封止水供給ライン４３に非常用ポンプ１２を有する非常用給水管１３を連通するように接続している点が第１の実施例と違う。非常用ポンプ１２の駆動モータは非常用電源で駆動するようになった。
【００４６】
復水ポンプ２が止まり、かつドレンポンプ８が止まると、非常用電源の給電で非常用ポンプ１２が運転され、非常用給水管１３から封止水供給ライン４３に非常用の給水が直ちに行われる。この給水が封止水となって軸封部３４の封止が行われるので、ポンプケーシング３０内にドレン水が滞留してもドレン水の蒸気が軸受部３３に浸入することは生じないのである。
【００４７】
非常用電源で駆動される非常用ポンプ１２は、従来のような専用の補助給水ポンプではない。非常時に空調の冷却水を含む各種の給水を賄う非常用ポンプ１２であるので、専用の補助給水ポンプをもうけるものに比べ、構成が簡単で、メンテナンスの面でも有利である。
【００４８】
次に図４に示す第４の実施例について述べる。
【００４９】
この実施例は、第３の実施例の非常用ポンプ１２に替えて非常用タンク１４を備えたものである。すなわち、この非常用タンク１４を有する非常用タンク給水管１５を封止水供給ライン４３に連通するように接続した。
【００５０】
これにより、復水ポンプ２が止まり、かつドレンポンプ８が止まると、非常用タンク１４の静頭圧で、給水が封止水供給ライン４３に供給される。この給水が封止水となって軸封部３４の封止が行われるので、ポンプケーシング３０内にドレン水が滞留してもドレン水の蒸気が軸受部３３に浸入することは生じないのである。
【００５１】
第３の実施例と同様、構成が簡単で、メンテナンスの面でも有利である。
【００５２】
【発明の効果】
本発明によれば、復水ポンプが停止してもドレン水の蒸気が軸受部に侵入することはないのである。
【図面の簡単な説明】
【図１】本発明における第１の実施例に係わるもので、復水加熱流路とドレン給水路との配管系統図。
【図２】本発明における第２の実施例に係わるもので、復水加熱流路とドレン給水路との配管系統図。
【図３】本発明における第３の実施例に係わるもので、復水加熱流路とドレン給水路との配管系統図。
【図４】本発明における第４の実施例に係わるもので、復水加熱流路とドレン給水路との配管系統図。
【図５】本発明に係わるドレンポンプを示す図。
【図６】本発明に係わるドレンポンプの他実施例を示す図。
【図７】従来の復水加熱流路とドレン給水路との配管系統図。
【符号の説明】
１…復水器、２…復水ポンプ、３…低圧給水加熱器、４…給水ポンプ、５…高圧給水加熱器、６…蒸気発生器、７…ドレンタンク、８…ドレンポンプ、９…ドレンポンプ封水供給弁、１０…復水器配水管、３０…ポンプケーシング、３１…ポンプレンナー、３２…回転軸、３３…軸受部、３４…軸封部、３５…吸込口３５、３６…吐出口、３７…排水口３７、４３…封止水供給ライン。
【図１】
2004325024.tif 000003
【図２】
2004325024.tif 000004
【図３】
2004325024.tif 000005
【図４】
2004325024.tif 000006
【図５】
2004325024.tif 000007
【図６】
2004325024.tif 000008
【図７】
2004325024.tif 000009